(57)【特許請求の範囲】
【請求項１】
電子デバイスを用いて無線通信信号を処理する方法であって、
第１の無線通信信号を受信することと、
前記第１の無線通信信号に基づいて第１の値を決定することと、
前記第１の値が所定の第１のしきい値と所定の第２のしきい値との間にあると判定することと、
前記第１の値が前記第１のしきい値と前記第２のしきい値との間にあるとの判定に少なくとも部分的に基づいて、第３のしきい値を選択することと、
第２の無線通信信号を受信することと、
前記第２の無線通信信号に基づいて第２の値を決定することと、
前記第２の値を前記選択されたしきい値と比較することと
を備え、
前記第１の無線通信信号を受信することと、前記第２の無線通信信号を受信することは、ページング・インジケータ・チャネル（ＰＩＣＨ）をモニタすることを備え、
前記第１の値は、前記ＰＩＣＨの積分和である、
方法。
【請求項２】
前記選択されたしきい値は、前記第２のしきい値である、請求項１に記載の方法。
【請求項３】
前記比較に基づいて前記第２の無線通信信号が検出されたと判定することをさらに備える、請求項１に記載の方法。
【請求項４】
前記検出に応答してページング・チャネル（ＰＣＨ）をモニタすることをさらに備える、請求項３に記載の方法。
【請求項５】
電子デバイスであって、
第２の無線通信信号を受信する前に少なくとも第１の無線通信信号を受信するように構成された受信機と、
プロセッサであって、
前記第１の無線通信信号に基づいて第１の値を決定し、
前記第２の無線通信信号に基づいて第２の値を決定し、
前記第１の値が所定の第１のしきい値と所定の第２のしきい値との間にあると判定し、
前記第１の値が前記第１のしきい値と前記第２のしきい値との間にあるとの判定に少なくとも部分的に基づいて、第３のしきい値を選択し、
前記第２の値を前記選択されたしきい値と比較する
ように構成されたプロセッサと
を備え、
前記受信機は、ページング・インジケーション・チャネル（ＰＩＣＨ）で、前記第１の無線通信信号と、前記第２の無線通信信号とを受信するように構成され、
前記第１の値は、前記ＰＩＣＨの積分和である、
電子デバイス。
【請求項６】
前記プロセッサは、前記比較に基づいて前記第２の無線通信信号が検出されたと判定するようにさらに構成される、請求項５に記載の電子デバイス。
【請求項７】
前記受信機は、前記ＰＩＣＨで受信された前記第２の無線通信信号の検出に応答して、ページング・チャネル（ＰＣＨ）でページを受信するように構成される、請求項６に記載の電子デバイス。
【請求項８】
電子デバイスであって、
第１の無線通信信号を受信する手段と、
前記第１の無線通信信号に基づいて第１の値を決定する手段と、
前記第１の値が所定の第１のしきい値と所定の第２のしきい値との間にあると判定する手段と、
前記第１の値が前記第１のしきい値と前記第２のしきい値との間にあるとの判定に少なくとも部分的に基づいて、第３のしきい値を選択する手段と、
第２の無線通信信号を受信する手段と、
前記第２の無線通信信号に基づいて第２の値を決定する手段と、
前記第２の値を前記選択されたしきい値と比較する手段と
を備え、
前記第１の無線通信信号を受信する手段および前記第２の無線通信信号を受信する手段は、ページング・インジケーション・チャネル（ＰＩＣＨ）で、前記第１の無線通信信号および前記第２の無線通信信号をそれぞれ受信するように構成され、
前記第１の値は、前記ＰＩＣＨの積分和である、電子デバイス。
【請求項９】
前記比較に基づいて前記第２の無線通信信号が検出されたと判定する手段をさらに備える、請求項８に記載の電子デバイス。
【請求項１０】
１つ以上のプロセッサによって実行されると、無線通信信号を検出する方法をコンピュータに実行させる命令を記憶したコンピュータ読取可能な媒体であって、前記方法は、
第１の無線通信信号を受信することと、
前記第１の無線通信信号に基づいて第１の値を決定することと、
前記第１の値が所定の第１のしきい値と所定の第２のしきい値との間にあると判定することと、
前記第１の値が前記第１のしきい値と前記第２のしきい値との間にあるとの判定に少なくとも部分的に基づいて、第３のしきい値を選択することと、
第２の無線通信信号を受信することと、
前記第２の無線通信信号に基づいて第２の値を決定することと、
前記第２の値を前記選択されたしきい値と比較することと
を備え、
前記第１の無線通信信号を受信することと、前記第２の無線通信信号を受信することは、ページング・インジケータ・チャネル（ＰＩＣＨ）をモニタすることを備え、
前記第１の値は、前記ＰＩＣＨの積分和である、コンピュータ読取可能な媒体。
【請求項１１】
前記方法は、前記比較に基づいて前記第２の無線通信信号が検出されたと判定することをさらに備える、請求項１０に記載のコンピュータ読取可能な媒体。
【発明の詳細な説明】
【背景技術】
【０００１】
本開示は、信号の検出に関し、特に、動的なしきい値を使用した信号の検出に関する。
【技術分野】
【０００２】
送信された信号の検出を試みる場合、２種類のエラー、すなわち、（１）信号が送信されなかった場合に信号が検出されたと判定される、フォールス・ポジティブ（false positive）と、（２）信号が送信された場合に信号が検出されなかったと判定される、フォールス・ネガティブ（false negative）とが起こり得る。これらのエラーの各々に関連する不利益は、特定の用途に依存する。
【０００３】
ＷＣＤＭＡシステムは、２つの異なる符号チャネル、すなわち、（１）ページング・インジケータ・チャネル（ＰＩＣＨ：Paging Indicator Channel）と、（２）ページング・チャネル（ＰＣＨ：Paging Channel）とを使用して、２つのステップで、モバイル・フォンのようなユーザ機器（ＵＥ）をページングする。ページング・メッセージがＰＣＨで送られる場合、ネットワークは、その上、ＵＥによってモニタされるＰＩＣＨでページング・インジケータを送信する。ＰＩＣＨでページング・インジケータを検出すると、ＵＥは、ページング・メッセージを受信するためにＰＣＨを読み取る。ページング・インジケータの検出におけるフォールス・ポジティブは、ＰＣＨを読み取ることがＰＩＣＨだけを読み取ることと比較してより多くの電力を消費するので、電力が浪費されるという結果をもたらす。しかしながら、ページング・インジケータの検出におけるフォールス・ネガティブは、ページング・メッセージが見逃されるという結果をもたらす。一般的に、ネットワークは、ページング・メッセージが見逃されるのを回避するために、２〜４回にわたって、ページング・インジケータとページング・メッセージとを再送する。
【発明の概要】
【０００４】
本発明のシステム、方法、およびデバイスは各々、いくつかの態様を有するが、そのうちのどれ１つとして、その所望の特性を単独で担うものはない。付属の特許請求の範囲によって示された本発明の範囲を限定することなく、そのより顕著な特徴が、ここで簡潔に説明される。この説明を考慮した後、特に、「発明を実施するための形態」と題するセクションを読むと、本発明の特徴がどのようにして信号の検出のための動的なしきい値を提供するかが理解されるだろう。
【０００５】
本開示の一態様は、無線通信信号を検出する方法であって、この方法は、第１の無線通信信号を受信することと、第１の無線通信信号に基づいて第１の値を決定することと、第１の値が所定の第１のしきい値と所定の第２のしきい値との間にあると判定することと、第１の値が第１のしきい値と第２のしきい値との間にあるとの判定に少なくとも部分的に基づいて第３のしきい値を選択することと、第２の無線通信信号を受信することと、第２の無線通信信号に基づいて第２の値を決定することと、第２の値と選択されたしきい値との比較に基づいて第２の無線通信信号を検出することと、を備える。
【０００６】
本開示の別の態様は、第２の無線通信信号を受信する前に少なくとも第１の無線通信信号を受信するように構成された受信機と、第１の無線通信信号に基づいて第１の値を決定し、第２の無線通信信号に基づいて第２の値を決定し、第１の値が所定の第１のしきい値と所定の第２のしきい値との間にあると判定し、第１の値が第１のしきい値と第２のしきい値との間にあるとの判定に少なくとも部分的に基づいて第３のしきい値を選択し、第２の値と選択されたしきい値との比較に基づいて第２の無線通信信号を検出するように構成されたプロセッサと、を備える電子デバイスである。
【０００７】
本開示の別の態様は、第１の無線通信信号を受信する手段と、第１の無線通信信号に基づいて第１の値を決定する手段と、第１の値が所定の第１のしきい値と所定の第２のしきい値との間にあると判定する手段と、第１の値が第１のしきい値と第２のしきい値との間にあるとの判定に少なくとも部分的に基づいて第３のしきい値を選択する手段と、第２の無線通信信号を受信する手段と、第２の無線通信信号に基づいて第２の値を決定する手段と、第２の値と選択されたしきい値との比較に基づいて第２の無線通信信号を検出する手段と、を備える電子デバイスである。
【０００８】
本開示の別の態様は、１つ以上のプロセッサによって実行されると、無線通信信号を検出する方法をコンピュータに実行させる命令を記憶したコンピュータ読取可能な媒体であって、その方法は、第１の無線通信信号を受信することと、第１の無線通信信号に基づいて第１の値を決定することと、第１の値が所定の第１のしきい値と所定の第２のしきい値との間にあると判定することと、第１の値が第１のしきい値と第２のしきい値との間にあるとの判定に少なくとも部分的に基づいて第３のしきい値を選択することと、第２の無線通信信号を受信することと、第２の無線通信信号に基づいて第２の値を決定することと、第２の値と選択されたしきい値との比較に基づいて第２の無線通信信号を検出することと、を備える。
【０００９】
本開示の一態様は、無線通信信号を検出する方法であって、この方法は、電子デバイスの充電状態を判定することと、電子デバイスの充電状態に少なくとも部分的に基づいてしきい値を選択することと、無線通信信号を受信することと、無線通信信号に基づいて値を決定することと、その値と上記しきい値との比較に基づいて無線通信信号を検出することと、を備える。
【００１０】
本開示の別の態様は、無線通信信号を受信するように構成された受信機と、電子デバイスの充電状態を判定し、電子デバイスの充電状態に少なくとも部分的に基づいてしきい値を選択し、無線通信信号に基づいて値を決定し、その値と上記しきい値との比較に基づいて無線通信信号を検出するように構成されたプロセッサと、を備える電子デバイスである。
【００１１】
本開示の別の態様は、電子デバイスの充電状態を判定する手段と、電子デバイスの充電状態に少なくとも部分的に基づいてしきい値を選択する手段と、無線通信信号を受信する手段と、無線通信信号に基づいて値を決定する手段と、その値と上記しきい値との比較に基づいて無線通信信号を検出する手段と、を備える電子デバイスである。
【００１２】
本開示の別の態様は、１つ以上のプロセッサによって実行されると、無線通信信号を検出する方法をコンピュータに実行させる命令を記憶したコンピュータ読取可能な媒体であって、その方法は、電子デバイスの充電状態を判定することと、電子デバイスの充電状態に少なくとも部分的に基づいてしきい値を選択することと、無線通信信号を受信することと、無線通信信号に基づいて値を決定することと、その値と上記しきい値との比較に基づいて無線通信信号を検出することと、を備える。
【図面の簡単な説明】
【００１３】
【図１】図１は、無線通信デバイスの機能ブロック図である。
【図２】図２は、サイクル数に対するＰＩＣＨ信号レベルおよび検出しきい値の例示的なグラフである。
【図３】図３は、サイクル数に対するＰＩＣＨ信号レベルおよび検出しきい値の別の例示的なグラフである。
【図４】図４は、信号を検出する方法を示すフローチャートである。
【図５】図５は、電子デバイスの充電状態に少なくとも部分的に基づいて信号を検出する方法を示すフローチャートである。
【発明を実施するための形態】
【００１４】
図１は、無線通信デバイスの機能ブロック図である。無線通信デバイス１００は、メモリ１２０、入力デバイス１３０、および出力デバイス１４０とデータ通信するプロセッサ１１０を含む。プロセッサは、さらに、モデム１５０およびトランシーバ１６０とデータ通信する。トランシーバ１６０も、また、モデム１５０およびアンテナ１７０とデータ通信する。無線通信デバイス１００およびそのコンポーネントは、バッテリ１８０および／または外部電源によって電力供給される。いくつかの実施形態において、バッテリ１８０、またはその一部は、電力インタフェース１９０を介して外部電源により充電可能である。無線通信デバイス１００に関して説明される機能ブロックは、別々に説明されるが、別個の構造要素である必要はないことが理解されるべきである。たとえば、プロセッサ１１０およびメモリ１２０は、１つのチップに統合され得る。同様に、プロセッサ１１０、モデム１５０、およびトランシーバ１６０のうちの２つ以上は、１つのチップに統合され得る。
【００１５】
プロセッサ１１０は、ここに説明される機能を実行するように設計された、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェア・コンポーネント、または、それらの任意の適切な組み合わせであることができる。プロセッサは、コンピューティング・デバイスの組み合わせ、たとえば、ＤＳＰと、１つのマイクロプロセッサ、複数のマイクロプロセッサ、ＤＳＰコアに連結された１つ以上のマイクロプロセッサとの組み合わせ、または、任意の他のそのような構成として実現されることもできる。
【００１６】
プロセッサ１１０は、メモリ１２０から情報を読み取り、またはメモリ１２０に情報を書き込むために、１つ以上のバスを介して、結合されることができる。さらに、または、あるいは、プロセッサは、プロセッサ・レジスタのようなメモリを含むことができる。メモリ１２０は、異なるレベルが異なる容量とアクセス・スピードを有する、マルチレベルの階層化キャッシュを含む、プロセッサ・キャッシュを含むことができる。メモリ１２０は、ランダム・アクセス・メモリ（ＲＡＭ）、他の揮発性記憶デバイス、または不揮発性記憶デバイスを含むこともできる。記憶装置は、ハード・ドライブ、コンパクト・ディスク（ＣＤ）またはデジタル・ビデオ・ディスク（ＤＶＤ）といった光学ディスク、フラッシュメモリ、フロッピー（登録商標）ディスク、磁気テープ、およびＺｉｐドライブを含むことができる。
【００１７】
プロセッサ１１０は、また、無線通信デバイス１００のユーザから入力を受信し、無線通信デバイス１００のユーザに出力を供給するために、それぞれ、入力デバイス１３０および出力デバイス１４０に結合される。適切な入力デバイスは、キーボード、ボタン、キー、スイッチ、ポインティング・デバイス、マウス、ジョイスティック、リモート・コントロール、赤外線検出器、（たとえば手のジェスチャまたは顔のジェスチャを検出するためにビデオ処理ソフトウェアに結合され得る）ビデオカメラ、動作検出器、または、（たとえば音声命令を検出するためにオーディオ処理ソフトウェアに結合され得る）マイクロフォンを含むが、これらに限定されない。適切な出力デバイスは、ディスプレイおよびプリンタを含むビジュアル出力デバイスと、スピーカ、ヘッドフォン、イヤフォン、およびアラームを含むオーディオ出力デバイスと、フォース・フィードバック・ゲーム・コントローラおよびバイブレーティング・デバイスを含む触力覚出力デバイスとを含むが、これらに限定されない。
【００１８】
プロセッサ１１０は、さらに、モデム１５０およびトランシーバ１６０に結合される。モデム１５０およびトランシーバ１６０は、１つ以上のエア・インタフェース規格によるアンテナ１７０を介した無線送信のためにプロセッサ１１０によって生成されたデータを調整する。モデム１５０およびトランシーバ１６０は、また、１つ以上のエア・インタフェース規格によってアンテナ１７０を介して受信されたデータを復調する。トランシーバは、送信機１６２、受信機１６４、またはその両方を含むことができる。他の実施形態において、送信機および受信機は、２つの別個のコンポーネントである。モデム１５０およびトランシーバ１６０は、ここに説明される機能を実行するように設計された、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）または他のプログラマブル論理デバイス、離散ゲートまたはトランジスタ論理、離散ハードウェア・コンポーネント、または、それらの任意の適切な組み合わせとして具現化されることができる。
【００１９】
無線通信デバイス１００およびそのコンポーネントは、バッテリ１８０および／または外部電源によって電力供給される。バッテリ１８０は、エネルギーを蓄積する任意のデバイス、特に、化学エネルギーを蓄積し、それを電気エネルギーとして供給する任意のデバイスであることができる。バッテリ１８０は、リチウム・ポリマー電池、リチウム・イオン電池、ニッケル水素電池、またはニッケル・カドミウム電池を含む１つ以上の二次電池、または、アルカリ電池、リチウム電池、酸化銀電池、または亜鉛炭素電池を含む１つ以上の一次電池を含むことができる。外部電源は、壁面コンセント、乗り物用のシガー・ライター・レセプタクル、無線エネルギー伝達プラットフォーム、または太陽を含むことができる。
【００２０】
いくつかの実施形態において、バッテリ１８０、またはその一部は、電力インタフェース１９０を介して外部電源により充電可能である。電力インタフェース１９０は、バッテリ充電器を接続するためのジャック、近距離場無線エネルギー伝達のためのインダクタ、または、太陽エネルギーを電気エネルギーに変換するための光電池パネルを含むことができる。
【００２１】
いくつかの実施形態において、無線通信デバイス１００は、携帯電話、携帯情報端末（ＰＤＡ）、ハンドヘルド・コンピュータ、ラップトップ・コンピュータ、無線データ・アクセス・カード、ＧＰＳ受信機／ナビゲータ、カメラ、ＭＰ３プレイヤ、カムコーダ、ゲーム機器、腕時計、時計、またはテレビである。
【００２２】
一実施形態において、図１に示したような無線通信デバイスは、アイドル・モードである場合、ページング・インジケータ・チャネル（ＰＩＣＨ）のある特定のフレームを定期的にモニタする。各期間は、不連続受信（ＤＲＸ）サイクルと呼ばれる。このデバイスは、ページング・インジケータ・ビットの間に受信されたデジタル信号を積分する（integrate）ことによりページング・インジケータを検出するように構成される。基地局は、ページング・チャネル（ＰＣＨ）にデバイスのためのページング・メッセージがない場合、ＰＩＣＨで正のページング・インジケータ・ビットを送り、ＰＣＨにデバイスのためのページング・メッセージがある場合、負のページング・インジケータ・ビットを送る。
【００２３】
一実施形態において、ページング・インジケータの検出のためのしきい値はゼロである。したがって、積分和（integration sum）が正である場合、デバイスは、ページング・メッセージがないと判定する一方で、積分和が負である場合、デバイスは、ページング・メッセージがあると判定し、ページング・メッセージを受信するためにページング・チャネル（ＰＣＨ）を読み取る。チャネルの障害、たとえば雑音のせいで、到来する信号が損なわれている場合があり、明らかに負である積分和が、わずかに正である値として受信され得る。そのようなケースにおいて、デバイスがデフォルトのしきい値を使用している場合、デバイスは、ページング・メッセージがないと判定するだろう。ページング・メッセージがある場合、基地局は、一般的に、多数のＤＲＸサイクル、たとえば、２〜４サイクルにわたって、負のページング・インジケータ・ビットの送信を繰返す。信号が再び損なわれている場合、デバイスは、ページング・メッセージを受信しないだろう。しかしながら、デバイスがＰＩＣＨでページング・インジケータを誤って検出し、到来する呼がないのにＰＣＨをモニタすれば、電力が浪費される。
【００２４】
別の実施形態において、ページング・インジケータの検出のためのしきい値は、動的である。積分和が、しきい値より上である場合、デバイスは、ページング・メッセージがないと判定する一方で、積分和が、しきい値より下である場合、デバイスは、ページング・メッセージがあると判定し、ページング・メッセージを受信するためにページング・チャネル（ＰＣＨ）を読み取る。特定のサイクルの間に、積分和が、しきい値より上であるが、しきい値に近い場合、デバイスは、和がしきい値より上であるため、ページング・メッセージがないと判定するが、多数の後続のサイクルのために、しきい値を変更する。ページング・メッセージがある場合、基地局は、多数の後続のサイクルにわたって、負のページング・インジケータ・ビットの送信を繰返す。信号が再び損なわれ、積分和が、前のしきい値より上であるが、前のしきい値に十分に近いので、調節されたしきい値より下とされた場合、デバイスは、ページング・メッセージがあると判定し、メッセージを受信するためにＰＣＨを読み取るだろう。
【００２５】
図２は、サイクル数に対するＰＩＣＨ信号レベルおよび検出しきい値の例示的なグラフ２００である。図２は、動的なしきい値を有する実施形態を示す。図２において、しきい値はゼロで始まる。第１の信号が第１のＤＲＸサイクルの間にＰＩＣＨで受信された場合、デバイスは、第１の信号に関する積分和２２１を決定する。図２において、この第１の積分和２２１はしきい値２１１より下ではないため、検出は行われない。さらに、第１の積分和２２１は第１のしきい値２１１に近くないので、しきい値は、後続のサイクルのために変更されない。積分和がしきい値に「近い」かどうかを判定するために、無線通信デバイスは、積分和がしきい値から所定の程度内にあるかどうかを判定し得る。
【００２６】
第２の信号が第２のＤＲＸサイクルの間に受信された場合、デバイスは、第２の信号に関する積分和２２２を決定する。ここでも、第２の積分和２２２はしきい値２１２より下ではないので、検出は行われない。第２の積分和２２２はしきい値２１２に近くないので、しきい値は、後続のサイクルのために変更されない。第３の積分和２２３も同様に、しきい値２１３より下でもなく、しきい値２１３に近くもない。
【００２７】
第４の信号が第４のＤＲＸサイクルの間に受信された場合、デバイスは、第４の信号に関する積分和２２４を決定する。第４の積分和２２４はしきい値２１４より下ではないので、検出は行われない。しかしながら、第４の積分和２２４は、しきい値２１４に近い。特に、第４の積分和２２４は、検出しきい値２１４から１単位以内である。したがって、調節されたしきい値が、多数の続くサイクルにおいて選択される。図２において、しきい値は、少なくとも２サイクルの間、１だけ上に調節される。
【００２８】
第５の信号が第５のＤＲＸサイクルの間に受信された場合、デバイスは、第５の信号に関する積分和２２５を決定する。第５の積分和２２５は、選択されたしきい値２１５（このケースでは、調節されたしきい値である１）より下ではないので、検出は行われない。第６のＤＲＸサイクルの間に受信された第６の信号に関する第６の積分和２２６は、もとのしきい値であるゼロより下ではないが、選択されたしきい値２１６である１より下である。したがって、検出が行われ、無線通信デバイスは、ページング・メッセージを受信するためにＰＣＨを読み取る。
【００２９】
前述したように、基地局は、ページング・インジケーションを送る場合、多数のＤＲＸサイクルにおいて、そのインジケーションを再送する。したがって、積分和は、多数のサイクルの間、負であることが見込まれ、または損なわれている場合にはわずかに正であることが見込まれる。しきい値が、動的でないが、単により大きな値に調節されていたのなら、これは、より多くのフォールス・ポジティブおよび電力浪費という結果をもたらすだろう。しかしながら、しきい値が調節されなければ、これは、より多くのフォールス・ネガティブおよび見逃されるページング・メッセージという結果をもたらすだろう。しきい値を動的に調節することにより、不利益を被るこれらの２つのイベント間でバランスを保つことができる。
【００３０】
図２に関し前述した検出スキームは、フォールス・ネガティブを回避するようにしきい値を動的に調節することにより、ページング・インジケータの繰返しを利用する。図３に関し下記において説明される検出スキームは、フォールス・ポジティブを回避するようにしきい値を動的に調節することにより、ページング・インジケータの繰返しを利用する。
【００３１】
図３は、サイクル数に対するＰＩＣＨ信号レベルおよび検出しきい値の別の例示的なグラフ３００である。図３もまた、動的なしきい値を有する実施形態を示す。図３においても、しきい値は、ゼロで始まる。第１の信号が第１のＤＲＸサイクルの間にＰＩＣＨで受信された場合、デバイスは、第１の信号に関する積分和３２１を決定する。図３において、この第１の積分和３２１はしきい値３１１より下ではないため、検出は行われない。さらに、第１の積分和３２１は第１のしきい値３１１に近くないので、しきい値は、後続のサイクルのために変更されない。
【００３２】
第２の信号が第２のＤＲＸサイクルの間に受信された場合、デバイスは、第２の信号に関する積分和３２２を決定する。ここでも、第２の積分和３２２はデフォルトのしきい値３１２より下ではないので、検出は行われない。第２の積分和３２２はしきい値３１２に近くないので、しきい値は、後続のサイクルのために変更されない。第３の積分和３２３も同様に、しきい値３１３より下でもなく、しきい値３１３に近くもない。
【００３３】
第４の信号が第４のＤＲＸサイクルの間に受信された場合、デバイスは、第４の信号に関する積分和３２４を決定する。第４の積分和３２４はしきい値３１４より下であるため、検出が行われ、デバイスは、ページング・メッセージを受信するためにＰＣＨを読み取る。さらに、第４の積分和３２４は、しきい値３１４に近い。特に、第４の積分和３２４は、検出しきい値３１４から１単位以内である。したがって、調節されたしきい値が、多数の続くサイクルにおいて選択される。図３において、しきい値は、少なくとも２サイクルの間、１だけ下に調節される。一実施形態において、しきい値は、積分和３２４に対応するページング・メッセージがＰＣＨにない場合、すなわち、検出がフォールス・ポジティブだった場合、下方に調節されるだけである。
【００３４】
第５の信号が第５のＤＲＸサイクルの間に受信された場合、デバイスは、第５の信号に関する積分和３２５を決定する。第５の積分和３２５は、前のしきい値３１４（ゼロ）より下であるが、調節されたしきい値３１５（１）より下ではないので、検出は行われない。第６のＤＲＸサイクルの間に受信された第６の信号に関する第６の積分和３２６は、もとのしきい値であるゼロと調節されたしきい値３１６である１より下である。したがって、検出が行われ、無線通信デバイスは、ページング・メッセージを受信するためにＰＣＨを読み取る。
【００３５】
図２に関する説明は、一実施形態において、決定された値がしきい値に近い場合にしきい値を増加させる方法を示し、図３に関する説明は、一実施形態において、決定された値がしきい値に近い場合および／またはフォールス・ポジティブが検出された場合にしきい値を減少させる方法を示しているが、これらの実施形態の両方は、決定された値がしきい値に近く、検出がフォールス・ポジティブでない場合にしきい値を増加させ、決定された値がしきい値に近く、検出がフォールス・ポジティブである場合にしきい値を減少させるように、組み合わせられることができる。
【００３６】
図２および図３に関して前述した検出スキームは、より一般的な検出方法に該当する。図４は、信号を検出する方法４００を示すフローチャートである。方法４００は、ブロック４１０において、第１の無線通信信号を受信することにより開始される。信号は、たとえば、図１の無線通信デバイス１００によって、特に、アンテナ１７０、トランシーバ１６０、およびモデム１５０のうちの１つ以上を介し、プロセッサ１１０によって受信されることができる。無線通信信号は、単なる雑音または雑音に埋め込まれた送信された信号であることができ、それは、本当に無線信号が送信されたのか、または、単なる雑音が受信されたのかを判定することを困難にする。
【００３７】
次に、ブロック４２０において、第１の信号に基づいた第１の値が決定される。トランシーバ１６０、モデム１５０、およびプロセッサ１１０のうちの１つ以上が、この値を決定することができる。一実施形態において、この値は、所定の時間期間にわたり、無線通信信号によってアンテナ１７０に誘起された電圧の積分和である。別の実施形態において、この値は、信号によってアンテナ１７０に誘起された最大電圧である。さらなる別の実施形態において、この値は、第１の信号の受信信号電力またはこの信号の位相である。
【００３８】
続いて、判定ブロック４３０において、第１の値が所定の第１のしきい値と所定の第２のしきい値との間にあるかどうかが判定される。この判定は、たとえば、プロセッサ１１０によって実行されることができる。第１の値が第１のしきい値と第２のしきい値との間にないと判定された場合、方法４００は、ブロック４１０へと戻る。第１の値が第１のしきい値と第２のしきい値との間にあると判定された場合、方法４００は、ブロック４４０へと続き、第３のしきい値が選択される。
【００３９】
一実施形態において、第１の値が、第１のしきい値と第２のしきい値とのうちの小さいほうより下であると判定された場合、第１の信号が検出され、方法４００は終了する。図２および図３は、そのような実施形態の例を示している。別の実施形態において、第１の値が、第１のしきい値と第２のしきい値とのうちの大きいほうより上であると判定された場合、第１の信号が検出され、方法４００は終了する。そのような実施形態の例は、図２および図３を１８０度回転させることによってイメージされ得る。
【００４０】
ブロック４４０において、第１の値が第１のしきい値と第２のしきい値との間にあるとの判定に少なくとも部分的に基づいて、第３のしきい値が選択される。一実施形態において、プロセッサ１１０が、しきい値を選択する。しきい値は、メモリ１２０に記憶されたルックアップ・テーブルを使用してプロセッサ１１０によって選択されることができ、ここで、所定の第３のしきい値は、ポジティブな判定に基づいて選択される。「第３のしきい値」という用語を使用したが、選択されたしきい値は、第１のしきい値または第２のしきい値と同一であることもでき、または、第１のしきい値および第２のしきい値とは異なることもできるということが理解されるべきである。特定の一実施形態において、第３のしきい値は、第１のしきい値の大きさと、第２のしきい値の大きさとのうちの大きいほうよりも小さい大きさを有する。
【００４１】
ブロック４４０から、処理４００は、ブロック４５０および４６０へと続き、第２の信号が受信され、第２の値が決定される。これらのブロックに関連づけられるステップは、それぞれ、ブロック４１０および４２０に関して前述されたように、実行されることができる。
【００４２】
次に、判定ブロック４７０において、第２の値は、選択されたしきい値と比較される。この比較は、たとえば、プロセッサ１１０によって実行されることができる。第２の値がしきい値よりも小さい場合、方法４００はブロック４８０へと続き、第２の信号が検出される。一実施形態において、第２の信号の有（または無）は、メモリ１２０に１ビット・フラグとして記憶される。第２の値がしきい値よりも大きい場合、信号は検出されず、方法４００はブロック４９１へと続き、ゼロで始まり、リセットされてゼロになるカウンタが、１だけインクリメントされる。ブロック４９１から、方法４００は、判定ブロック４９２へと続き、カウンタがカウンタしきい値より大きいかどうかが判定される。カウンタがカウンタしきい値よりも大きい場合、方法４００は、ブロック４９３へと進み、カウンタは、ブロック４１０へと戻る前にリセットされる一方で、カウンタがカウンタしきい値以下である場合、方法４００は、ブロック４５０へと戻る。図４には示されていない別の実施形態において、第２の値が第１のしきい値と第２のしきい値との間にある場合、カウンタは、ブロック４９１においてインクリメントされず、リセットされる。
【００４３】
別の実施形態において、判定ブロック４７０の出力は、第２の値がしきい値の大きさよりも大きい場合に方法がブロック４８０へと続く一方で、第２の値がしきい値の大きさ以下である場合に方法がブロック４９１へと続くように、変えられる。
【００４４】
ブロック４８０において信号が検出されると、処理はブロック４９０へと続き、さまざまな動作が検出に応答して実行されることができる。一実施形態において、検出は、出力デバイス１４０を介してユーザに示される。別の実施形態において、無線通信信号は、第１の無線チャネルで受信され、検出は、無線通信デバイス１００に第２の無線チャネルを読み取るように促す。たとえば、一実施形態において、無線通信信号は、ページング・インジケータ・チャネル（ＰＩＣＨ）で受信されたページング・インジケータであり、それに応答して、無線通信デバイス１００は、ページング・メッセージを受信するためにページング・チャネル（ＰＣＨ）を読み取る。
【００４５】
前述したように、異なる用途において、フォールス・ポジティブおよびフォールス・ネガティブに関連づけられる異なる不利益がある。たとえば、ＷＣＤＭＡにおいて、ＰＩＣＨでのページング・インジケーションの検出におけるフォールス・ポジティブに関連づけられる不利益は、ＰＣＨを読み取る際に浪費される電力である一方で、ＰＩＣＨでのページング・インジケーションの検出におけるフォールス・ネガティブに関連づけられる不利益は、見逃されるページング・メッセージである。フォールス・ネガティブに関連づけられる不利益（見逃されるページング・メッセージ）は、フォールス・ポジティブに関連づけられる不利益（浪費される電力）よりはるかに影響力があるように見えるが、必ずしもそうとは言えない。というのも、ユーザ機器は、一日に何千回とＰＩＣＨの信号検出を実行しなくてはならないからである。フォールス・ポジティブが頻発すると、フォールス・ポジティブにより浪費される電力は、瞬く間に大きな量となり得る。しかしながら、デバイスが、フル・バッテリ充電を有するか、または、外部電源によって充電されている場合、フォールス・ポジティブに関連づけられた浪費される電力に関連づけられる不利益はより少なくなる。一実施形態において、無線通信デバイスは、デバイスの充電状態に基づいて、検出しきい値を選択する。
【００４６】
図５は、電子デバイスの充電状態に少なくとも部分的に基づいて信号を検出する方法５００を示すフローチャートである。処理５００は、ブロック５１０において、電子デバイスの充電状態を判定することによって始まる。電子デバイスは、たとえば、図１の無線通信デバイス１００であることができ、充電状態は、プロセッサ１１０によって判定されることができる。一実施形態において、充電状態は、たとえば、真または偽のいずれかであるブーリアン条件である。たとえば、一実施形態において、充電状態は、電子デバイスが外部電源から少なくとも所定のしきい値量の電力を受信しているかどうかを示す。たとえば、図１の無線通信デバイス１００が、バッテリ充電器を介して、壁面コンセントまたはシガー・ライター・レセプタクルに接続されている場合、充電状態は、この接続を示すことができる。一実施形態において、充電状態は、無線通信デバイス１００が外部電源から所定のしきい値量の電力を受けている場合には「１」、または受けていない場合には「０」と示される１ビット・フラグとしてメモリ１２０に記憶される。
【００４７】
別の実施形態において、充電状態は、３つ以上の離散値または連続値のいずれかをとることができる、非ブーリアン条件である。たとえば、一実施形態において、充電状態は、無線通信デバイス１００のバッテリ１８０のバッテリ充電レベルを示す。バッテリ充電レベル、すなわち、充電状態は、２５％、５０％、７５％、および１００％といった多数の離散値のうちの１つによって表されることができる。別の実施形態において、充電状態は、バッテリ充電レベルを示すが、ブーリアンであり、バッテリ充電レベルが所定のしきい値より高い場合には真であり、バッテリ充電レベルがそのしきい値より低い場合には偽である。
【００４８】
次に、ブロック５２０において、しきい値が、電子デバイスの充電状態に少なくとも部分的に基づいて選択される。一実施形態において、プロセッサ１１０が、しきい値を選択する。しきい値は、メモリに記憶されたルックアップ・テーブルを使用してプロセッサによって選択されることができる。たとえば、第１のしきい値は、充電状態が真の場合に選択されることができ、第２のしきい値は、充電状態が偽の場合に選択されることができる。別の実施形態において、プロセッサは、充電状態を入力変数として含む式を使用してしきい値を選択する。たとえば、しきい値は、バッテリ１８０の充電レベルに比例して、増減されることができる。
【００４９】
続いて、ブロック５３０において、無線通信信号が受信される。この信号は、たとえば、アンテナ１７０、トランシーバ１６０、およびモデム１５０のうちの１つ以上を介して、無線通信デバイス１００またはプロセッサ１１０によって受信されることができる。無線通信信号は、単なる雑音または雑音に埋め込まれた送信された信号であることができ、それは、本当に無線信号が送信されたのか、または、単なる雑音が受信されたのかを判定することを困難にする。
【００５０】
次に、ブロック５４０において、無線通信信号に基づいた値が決定される。トランシーバ１６０、モデム１５０、およびプロセッサ１１０のうちの１つ以上がこの値を決定することができる。一実施形態において、この値は、所定の時間期間にわたり、無線通信信号によってアンテナ１７０に誘起された電圧の積分和である。別の実施形態において、この値は、信号によってアンテナ１７０に誘起された最大電圧である。さらなる別の実施形態において、この値は、無線通信信号の受信電力またはその信号の位相である。
【００５１】
続いて、判定ブロック５５０において、決定された値が選択されたしきい値と比較される。この比較は、たとえば、プロセッサ１１０によって実行されることができる。この値がしきい値より小さい場合、方法５００は、ブロック５６０へと続き、信号が検出される。一実施形態において、信号の有（または無）は、メモリ１２０に１ビット・フラグとして記憶される。その値がしきい値以上である場合、信号は検出されず、方法５００はブロック５３０へと戻る。別の実施形態において、判定ブロック５５０の出力は、その値がしきい値よりも大きい場合に方法がブロック５６０へと続く一方で、その値がしきい値の大きさ以下である場合に方法がブロック５３０へと戻るように、変えられる。
【００５２】
ブロック５６０において信号が検出されると、処理はブロック５７０へと続き、さまざまな動作が検出に応答して実行されることができる。一実施形態において、検出は、出力デバイス１４０を介してユーザに示される。別の実施形態において、無線通信信号は、第１の無線チャネルで受信され、検出は、無線通信デバイス１００に第２の無線チャネルをモニタするように促す。たとえば、一実施形態において、無線通信信号は、ページング・インジケータ・チャネル（ＰＩＣＨ）で受信されたインジケータであり、それに応答して、無線通信デバイス１００は、到来するページまたは呼を求めてページング・チャネル（ＰＣＨ）をモニタする。
【００５３】
本明細書は本発明の特定の例を説明しているが、当業者は、発明のコンセプトから逸脱せずに本発明の変形例を考案することができる。当業者は、情報および信号が、さまざまな異なる技術および技法のいずれかを使用して表され得ることを理解するだろう。たとえば、上記説明を通して言及され得るデータ、命令、コマンド、情報、信号、ビット、シンボル、およびチップは、電圧、電流、電磁波、磁場または磁性粒子、光場または光粒子、またはそれらの任意の組み合わせによって表されることができる。信号およびしきい値という用語は、信号変調技術に依存し得る。パルス振幅変調（ＰＡＭ：Pulse Amplitude Modulation ）が使用される場合には、信号の電圧の振幅または電力がその値を表す。その場合、しきい値は、単に電力値である。位相変調が使用される場合には、受信信号電圧の符号に変換され得る信号の位相が、信号値を表すことができる。この場合、信号が、複数のシンボルにわたって積分される場合には、受信された信号の符号および振幅が、ともに信号値を示す。
【００５４】
当業者は、ここに開示された例に関連して説明されたさまざまな例示的な論理ブロック、モジュール、回路、方法、およびアルゴリズムが、電子ハードウェア、コンピュータ・ソフトウェア、またはその両者の組み合わせとして実現され得ることを、さらに理解するだろう。ハードウェアとソフトウェアとのこの互換性を明確に説明するために、さまざまな例示的なコンポーネント、ブロック、モジュール、回路、方法、およびアルゴリズムが、それらの機能の観点で一般的に上述されている。そのような機能がハードウェアとして実現されるか、ソフトウェアとして実現されるかは、システム全体に課された特定の用途および設計上の制約に依存する。当業者は、特定の用途ごとにさまざまな手法で、説明された機能を実現することができるが、そのような実現の決定は、本発明の範囲から逸脱するものと解釈されるべきではない。
【００５５】
ここで開示された例に関連して説明された、さまざまな例示的な論理ブロック、モジュール、および回路は、ここで説明された機能を実行するように設計された、汎用プロセッサ、デジタル・シグナル・プロセッサ（ＤＳＰ）、特定用途向け集積回路（ＡＳＩＣ）、フィールド・プログラマブル・ゲート・アレイ（ＦＰＧＡ）、または他のプログラマブル論理デバイス、離散ゲートまたはトランジスタ論理、離散ハードウェア・コンポーネント、またはそれらの任意の組み合わせを用いて、実現または実行されることができる。汎用プロセッサは、マイクロプロセッサであることができるが、その代わりに、プロセッサは、任意の従来のプロセッサ、コントローラ、マイクロコントローラ、または順序回路であることができる。プロセッサは、また、コンピューティング・デバイスの組み合わせ、たとえば、ＤＳＰと、１つのマイクロプロセッサ、複数のマイクロプロセッサ、ＤＳＰコアと結合された１つ以上のマイクロプロセッサとの組み合わせ、または任意の他のそのような構成として、実現されることもできる。
【００５６】
ここで開示された例に関連して説明された方法またはアルゴリズムは、ハードウェアで直接的に、プロセッサによって実行されるソフトウェア・モジュールで、または両者の組み合わせで、具現化されることができる。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、または当該技術で知られている任意の他の形態の記憶媒体中に存在することができる。記憶媒体は、プロセッサが記憶媒体から情報を読み取り、記憶媒体に情報を書き込むことができるように、プロセッサに結合されることができる。その代わりに、記憶媒体は、プロセッサに組み込まれることができる。プロセッサおよび記憶媒体は、ＡＳＩＣ中に存在することができる。
【００５７】
１つ以上の例示的な実施形態において、説明された機能は、ハードウェア、ソフトウェア、ファームウェア、またはそれらの任意の組み合わせにおいて実現されることができる。ソフトウェアで実現される場合、機能は、１つ以上の命令またはコードとして、コンピュータ読取可能な媒体で記憶されることも、伝送されることもできる。コンピュータ読取可能な媒体は、ある場所から別の場所へのコンピュータ・プログラムの転送を容易にする任意の媒体を含む通信媒体およびコンピュータ記憶媒体の両方を含む。記憶媒体は、汎用コンピュータまたは専用コンピュータによってアクセスされることができる任意の入手可能な媒体であることができる。限定ではなく例として、そのようなコンピュータ読取可能な媒体は、命令またはデータ構造の形態で所望のプログラム・コード手段を搬送または記憶するために使用されることができ、かつ、汎用コンピュータまたは専用コンピュータ、または汎用プロセッサまたは専用プロセッサによってアクセスされることができる、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または任意の他の媒体を含むことができる。また、どの接続も、適切にコンピュータ読取可能な媒体と呼ばれる。たとえば、ソフトウェアが、ウェブサイト、サーバ、または他のリモート・ソースから、同軸ケーブル、光ファイバ・ケーブル、ツイストペア、デジタル加入者回線（ＤＳＬ）、または赤外線、無線、およびマイクロ波のような無線技術を使用して伝送される場合、同軸ケーブル、光ファイバ・ケーブル、ツイストペア、ＤＳＬ、または赤外線、無線、およびマイクロ波のような無線技術は、媒体の定義に含まれる。ディスク（disk）およびディスク（disc）は、ここで使用される場合、コンパクト・ディスク（disc）（ＣＤ）、レーザー・ディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、データを磁気的に再生するが、ディスク（disc）は、レーザーを用いて光学的にデータを再生する。上述したものの組み合わせも、また、コンピュータ読取可能な媒体の範囲内に含まれるべきである。
【００５８】
開示された例の先の説明は、本発明を製造または使用することをいずれの当業者にも可能にさせるために提供されている。これらの例に対するさまざまな変更は、当業者に容易
に理解され、ここで定義された一般的な原理は、本発明の精神または範囲から逸脱せずに、他の例に適用されることができる。このように、本発明は、ここに示された例に限定さ
れることは意図しておらず、ここに開示された原理および新規な特徴と一致する最も広い範囲が付与されるべきである。
以下に本願出願当初の特許請求の範囲を付記する。
[Ｃ１]  電子デバイスを用いて無線通信信号を処理する方法であって、
第１の無線通信信号を受信することと、
前記第１の無線通信信号に基づいて第１の値を決定することと、
前記第１の値が所定の第１のしきい値と所定の第２のしきい値との間にあると判定す
ることと、
前記第１の値が前記第１のしきい値と前記第２のしきい値との間にあるとの判定に少
なくとも部分的に基づいて、第３のしきい値を選択することと、
第２の無線通信信号を受信することと、
前記第２の無線通信信号に基づいて第２の値を決定することと、
前記第２の値を前記選択されたしきい値と比較することと
を備える方法。
[Ｃ２]  前記選択されたしきい値は、前記第２のしきい値である、Ｃ１に記載の方法。
[Ｃ３]  前記第１の無線通信チャネルを受信することと、前記第２の無線通信チャネルを受信す
ることは、ページング・インジケータ・チャネル（ＰＩＣＨ）をモニタすることを備える
、Ｃ１に記載の方法。
[Ｃ４]  前記比較に基づいて前記第２の無線通信信号が検出されたと判定することをさらに備え
る、Ｃ１に記載の方法。
[Ｃ５]  前記検出に応答してページング・チャネル（ＰＣＨ）をモニタすることをさらに備える
、Ｃ４に記載の方法。
[Ｃ６]  電子デバイスであって、
第２の無線通信信号を受信する前に少なくとも第１の無線通信信号を受信するように
構成された受信機と、
プロセッサであって、
前記第１の無線通信信号に基づいて第１の値を決定し、
前記第２の無線通信信号に基づいて第２の値を決定し、
前記第１の値が所定の第１のしきい値と所定の第２のしきい値との間にあると判
定し、
前記第１の値が前記第１のしきい値と前記第２のしきい値との間にあるとの判定
に少なくとも部分的に基づいて、第３のしきい値を選択し、
前記第２の値を前記選択されたしきい値と比較する
ように構成されたプロセッサと
を備える電子デバイス。
[Ｃ７]  前記プロセッサは、前記比較に基づいて前記第２の無線通信信号が検出されたと判定す
るようにさらに構成される、Ｃ６に記載の電子デバイス。
[Ｃ８]  前記受信機は、ページング・インジケーション・チャネル（ＰＩＣＨ）で、前記第１の
無線通信信号と、前記第２の無線通信信号とを受信するように構成される、Ｃ７に記
載の電子デバイス。
[Ｃ９]  前記受信機は、前記ＰＩＣＨで受信された前記第２の無線通信信号の検出に応答して、
ページング・チャネル（ＰＣＨ）でページを受信するように構成される、Ｃ８に記載
の電子デバイス。
[Ｃ１０]  電子デバイスであって、
第１の無線通信信号を受信する手段と、
前記第１の無線通信信号に基づいて第１の値を決定する手段と、
前記第１の値が所定の第１のしきい値と所定の第２のしきい値との間にあると判定す
る手段と、
前記第１の値が前記第１のしきい値と前記第２のしきい値との間にあるとの判定に少
なくとも部分的に基づいて、第３のしきい値を選択する手段と、
第２の無線通信信号を受信する手段と、
前記第２の無線通信信号に基づいて第２の値を決定する手段と、
前記第２の値を前記選択されたしきい値と比較する手段と
を備える電子デバイス。
[Ｃ１１]  前記比較に基づいて前記第２の無線通信信号が検出されたと判定する手段をさらに備え
る、Ｃ１０に記載の電子デバイス。
[Ｃ１２]  １つ以上のプロセッサによって実行されると、無線通信信号を検出する方法をコンピュ
ータに実行させる命令を記憶したコンピュータ読取可能な媒体であって、前記方法は、
第１の無線通信信号を受信することと、
前記第１の無線通信信号に基づいて第１の値を決定することと、
前記第１の値が所定の第１のしきい値と所定の第２のしきい値との間にあると判定す
ることと、
前記第１の値が前記第１のしきい値と前記第２のしきい値との間にあるとの判定に少
なくとも部分的に基づいて、第３のしきい値を選択することと、
第２の無線通信信号を受信することと、
前記第２の無線通信信号に基づいて第２の値を決定することと、
前記第２の値を前記選択されたしきい値と比較することと
を備える、コンピュータ読取可能な媒体。
[Ｃ１３]  前記方法は、前記比較に基づいて前記第２の無線通信信号が検出されたと判定すること
をさらに備える、Ｃ１２に記載のコンピュータ読取可能な媒体。
[Ｃ１４]  無線通信信号を検出する方法であって、
電子デバイスの充電状態を判定することと、
前記電子デバイスの充電状態に少なくとも部分的に基づいてしきい値を選択すること
と、
無線通信信号を受信することと、
前記無線通信信号に基づいて値を決定することと、
前記値と前記しきい値との比較に基づいて前記無線通信信号を検出することと
を備える方法。
[Ｃ１５]  前記無線通信信号を復号することをさらに備える、Ｃ１４に記載の方法。
[Ｃ１６]  前記充電状態は、前記電子デバイスが外部電源から少なくとも所定のしきい値量の電力
を受けているかどうかを示す、Ｃ１４に記載の方法。
[Ｃ１７]  前記しきい値を選択することは、前記電子デバイスが前記電力を受けている場合、第１
のしきい値を選択することと、前記電子デバイスが前記電力を受けていない場合、第２の
しきい値を選択することとを備え、前記第１のしきい値は、前記第２のしきい値とは異な
る、Ｃ１６に記載の方法。
[Ｃ１８]  前記充電状態は、バッテリ充電レベルを示す、Ｃ１４に記載の方法。
[Ｃ１９]  前記しきい値は、複数の所定の候補しきい値から選択される、Ｃ１４に記載の方法
。
[Ｃ２０]  前記無線通信信号を受信することは、ページング・インジケータ・チャネル（ＰＩＣＨ
）をモニタすることを備える、Ｃ１４に記載の方法。
[Ｃ２１]  前記検出に応答してページング・チャネル（ＰＣＨ）をモニタすることをさらに備える
、Ｃ２０に記載の方法。
[Ｃ２２]  電子デバイスであって、
無線通信信号を受信するように構成された受信機と、
プロセッサであって、
前記電子デバイスの充電状態を判定し、
前記電子デバイスの充電状態に少なくとも部分的に基づいてしきい値を選択し、
前記無線通信信号に基づいて値を決定し、
前記値と前記しきい値との比較に基づいて前記無線通信信号を検出する
ように構成されたプロセッサと
を備える電子デバイス。
[Ｃ２３]  前記電子デバイスを外部電源に接続するためのジャックをさらに備え、前記プロセッサ
は、前記電子デバイスが前記外部電源から少なくとも所定のしきい値量の電力を受けてい
るかどうかに基づいて、前記電子デバイスの充電状態を判定するように構成される、請求
項２２に記載の電子デバイス。
[Ｃ２４]  前記プロセッサは、前記電子デバイスが前記外部電源から前記電力を受けている場合、
第１のしきい値を選択し、前記電子デバイスが前記外部電源から前記電力を受けていない
場合、第２のしきい値を選択するように構成され、前記第１のしきい値は、前記第２のし
きい値とは異なる、Ｃ２３に記載の電子デバイス。
[Ｃ２５]  外部電源から電磁波を介して無線で電力を受けるための電力インタフェースをさらに備
え、前記プロセッサは、前記電子デバイスが前記外部電源から少なくともしきい値量の電
力を受けているかどうかに基づいて、前記電子デバイスの充電状態を判定するように構成
される、Ｃ２２に記載の電子デバイス。
[Ｃ２６]  バッテリをさらに備え、前記プロセッサは、バッテリ充電レベルに基づいて前記電子デ
バイスの充電状態を判定するように構成される、Ｃ２２に記載の電子デバイス。
[Ｃ２７]  複数の候補しきい値を記憶するように構成されたメモリをさらに備え、前記プロセッサ
は、前記複数の候補しきい値からしきい値を選択するように構成される、Ｃ２２に記
載の電子デバイス。
[Ｃ２８]  電子デバイスであって、
前記電子デバイスの充電状態を判定する手段と、
前記電子デバイスの充電状態に少なくとも部分的に基づいてしきい値を選択する手段
と、
無線通信信号を受信する手段と、
前記無線通信信号に基づいて値を決定する手段と、
前記値と前記しきい値との比較に基づいて前記無線通信信号を検出する手段と
を備える電子デバイス。
[Ｃ２９]  １つ以上のプロセッサによって実行されると、無線通信信号を検出する方法をコンピュ
ータに実行させる命令を記憶したコンピュータ読取可能な媒体であって、前記方法は、
電子デバイスの充電状態を判定することと、
前記電子デバイスの充電状態に少なくとも部分的に基づいてしきい値を選択すること
と、
無線通信信号を受信することと、
前記無線通信信号に基づいて値を決定することと、
前記値と前記しきい値との比較に基づいて前記無線通信信号を検出することと
を備える、コンピュータ読取可能な媒体。
【図１】
0005639186.tif 000002
【図２】
0005639186.tif 000003
【図３】
0005639186.tif 000004
【図４】
0005639186.tif 000005
【図５】
0005639186.tif 000006